(57)【特許請求の範囲】
【請求項１】
内部に付箋収納用チャンバー(C)を構成するチャンバー構成部(12)と、付箋収納用チャンバー(C)内に配置された付箋積層体(4)とからなり、
上記チャンバー構成部(12)は、少なくとも底壁(14)及び頂壁(16)を有し、これら底壁(14)及び頂壁(16)の間に上記付箋収納用チャンバー(C)を構成するとともに、この付箋収納用チャンバー(C)の水平な一の方向の両側に、付箋積層体(4)を突き当てるための一対の止め部(20)を設けて、これら止め部(20)の間に上記付箋積層体(4)を配置し、かつこれら止め部(20)間の頂壁部分中間部に、付箋取出し口(24)を開口しており、
上記付箋積層体(4)は、上記一の方向に長い付箋(6)からなり、その付箋(6)の長手方向の第１端部(8a)側及び第２端部(8b)側のうち第２端部(8b)側の裏面にのみ粘着層(10)を形成し、各付箋の第１端部(8a)が上下に隣接する他の付箋(6)の第２端部(8b)に重なるように積層させ、
かつ最上位の付箋(6A)の第１端部(8a)側を上記付箋取出し口(24)から外方へ突出させて、付箋取出し口(24)から突出した付箋(6)を引上げると、次の付箋(6)が付箋取出し口(24)から連続的に引き出されるように構成した付箋収納部の構造であって、
上記底壁(14)には、付箋取出し口(24)の真下に位置させて、常時開放の付箋補充口(26)を形成しており、
上記一の方向の付箋補充口(26)の巾(Ｄ１)と付箋取出し口(24)の巾(Ｄ２)と付箋積層体(4)の長さ(Ｌ)との間には次の数式１が成立し、
［数式１］Ｌ＞Ｄ１＞Ｄ２
付箋補充口(26)の下端面から付箋取出し口(24)の上端面までの高さ(Ｈ)と上記付箋積層体(4)の長さ(Ｌ)との間には次の数式２が成立しており、
［数式２］Ｌ＞Ｈ
上記付箋積層体(4)の厚さ(ｄ)と付箋補充口(26)の巾(Ｄ１)との間には次の数式３が成立する、
［数式３］Ｄ１＞２×ｄ
ことを特徴とする補充可能な付箋収納部の構造。
【請求項２】
上記一対の止め部(20)の間の距離を付箋積層体(4)より長く設けて、これら止め部(20)の間を付箋積層体(4)が一の方向にスライド可能に構成しており、
一方の止め部(20)から付箋補充口(26)までのマージンの長さ(Ｍ１)と付箋補充口(26)の巾(Ｄ１)と付箋積層体(4)の長さ(Ｌ)との間には次の数式２が、他方の止め部(20)から付箋補充口(26)までのマージンの長さ(Ｍ２)と付箋補充口(26)の巾(Ｄ１)と付箋積層体(4)の長さ(Ｌ)との間には次の数式３がそれぞれ成立する、
［数式４］Ｌ＞Ｍ１＋Ｄ１
［数式５］Ｌ＞Ｍ２＋Ｄ１
ことを特徴とする、請求項１記載の補充可能な付箋収納部の構造。
【請求項３】
基盤とシート層とからなるボードの一部である補充可能な付箋収納部の構造であり、
上記基盤の表面の一部に凹部(34)を形成し、
基盤の凹部形成箇所とこの凹部形成箇所の上面を覆うシート層部分とで上記チャンバー構成部(12)を形成するとともに、上記凹部(34)の内部を付箋収納用チャンバー(C)を形成し、
上記凹部(34)が一の方向に有する一対の側面を上記止め部(20)とし、凹部(34)上方のシート層部分及び凹部(34)の底部の一方に付箋取出し口(24)を、また他方に付箋補充口(26)をそれぞれ開口したことを特徴とする、請求項１又は請求項２記載の補充可能な付箋収納部の構造。
【発明の詳細な説明】
【技術分野】
【０００１】
本発明は、補充可能な付箋収納部の構造、特にポップアップ式の補充可能な付箋収納部の構造、さらに別の機能を有する物品の一部である付箋収納部の構造に関する。
【背景技術】
【０００２】
従来、付箋は、長手方向の端部裏面に粘着層を設けたものの積層体（付箋積層体）として販売されている。付箋積層体の収納具も各種提案されており、例えば付箋積層体を貼った台紙にバインダー孔を開口し、システム手帳に綴じることも行われている（特許文献１）。
【０００３】
より便利な付箋収納具として、初期状態で収納ケースの取出し口から一枚の付箋を突出させ、この付箋を引き上げると、この付箋に連動して次の付箋が収納ケース内から引き出され、再び初期状態となるいわゆるポップアップ式のものが知られている（特許文献２）。
【０００４】
ポップアップ式の付箋積層体は、各付箋の長手方向の第１端部及び第２端部のうち第２端部の裏面のみに粘着層を設け、各付箋の第１端部が直ぐ下の付箋の第２端部に重なるように、すなわち粘着箇所が一枚ごとに互い違いになるように積層されている。特許文献２では、単一の紙を２つ折りして、表紙及び裏紙の周辺部を糊付けした収納袋の表紙の中央部に付箋取出し口を設け、袋体の両側部に付箋積層体の両端部を固定させている。
【０００５】
またポップアップ式の付箋収納ケースであって、その長手方向のケース体の両側部と付箋積層体の両端部との間に隙間を設け、付箋取出し口から突出した付箋を長手方向片側へ斜めに引くと、付箋積層体がケース体内で長手方向へスライドするように構成したものが知られている（特許文献３）。これにより２番目の付箋の自動引き出しがスムーズになる。
【０００６】
またポップアップ式の付箋収納ケースであって、付箋取出し口付きの頂壁を、周壁への着脱自在な蓋とし、付箋を使い切ったときに蓋を外して、周壁の上端側の付箋補充口から付箋積層体を補充できるものが知られている（特許文献４の段落0021及び図25参照）。
【先行技術文献】
【特許文献】
【０００７】
【特許文献１】特開２００６−１８８０３１
【特許文献２】特表平１０−５０２３２２
【特許文献３】米国特許第４７７０３２０号
【特許文献４】特開２０００−３７９８４
【発明の概要】
【発明が解決しようとする課題】
【０００８】
近年、コストの削減の観点から、付箋のような消耗品に関しても付箋収納ケースごと使い捨てるのではなく、ケースの再利用を行うことが望まれている。特許文献４の付箋収納ケースもそうした要望に応えるものである。しかしながら、ケースの周壁に対して付箋取出し口付きの頂壁を一種の蓋として着脱可能に構成すると、利用者がその蓋を紛失したときに、蓋以外のケース部分が使えずに無駄になってしまう。
【０００９】
また文房具の分野では、同時に使用する二種以上の物品をコンパクトに組み合わせて使いたいというニーズがある（特許文献１参照）。しかしながら上述の蓋付きの付箋収納ケースの如き分離可能な２部品からなる製品の形態では、異種物品の構造の中に取り込むことが容易ではない。
【００１０】
本発明の第１の目的は、付箋収納用チャンバーの構成部の付箋取出し口と反対側に付箋補充口を設け、比較的簡単に付箋を補充可能な付箋収納部の構造を提案することである。
本発明の第２の目的は、上記付箋収納部の構造であって、補充した付箋積層体が補充口から脱落しないように構成したものを提案することである。
本発明の第３の目的は、上記付箋収納部の構造であって、単独の収納容器としても、他の物品の一部としても適用可能なものを提案することである。
【課題を解決するための手段】
【００１１】
第１の手段は、
内部に付箋収納用チャンバーCを構成するチャンバー構成部12と、付箋収納用チャンバーC内に配置された付箋積層体4とからなり、
上記チャンバー構成部12は、少なくとも底壁14及び頂壁16を有し、これら底壁14及び頂壁16の間に上記付箋収納用チャンバーCを構成するとともに、この付箋収納用チャンバーCの水平な一の方向の両側に、付箋積層体4を突き当てるための一対の止め部20を設けて、これら止め部20の間に上記付箋積層体4を配置し、かつこれら止め部20間の頂壁部分中間部に、付箋取出し口24を開口しており、
上記付箋積層体4は、上記一の方向に長い付箋6からなり、その付箋6の長手方向の第１端部8a側及び第２端部8b側のうち第２端部8b側の裏面にのみ粘着層10を形成し、各付箋の第１端部8aが上下に隣接する他の付箋6の第２端部8bに重なるように積層させ、
かつ最上位の付箋6Aの第１端部8a側を上記付箋取出し口24から外方へ突出させて、付箋取出し口24から突出した付箋6を引上げると、次の付箋6が付箋取出し口24から連続的に引き出されるように構成した付箋収納部の構造であって、
上記底壁14には、付箋取出し口24の真下に位置させて、常時開放の付箋補充口26を形成しており、
上記一の方向の付箋補充口26の巾Ｄ１と付箋取出し口24の巾Ｄ２と付箋積層体4の長さＬとの間には次の数式１が成立し、
［数式１］Ｌ＞Ｄ１＞Ｄ２
付箋補充口26の下端面から付箋取出し口24の上端面までの高さＨと上記付箋積層体4の長さＬとの間には次の数式２が成立しており、
［数式２］Ｌ＞Ｈ
上記付箋積層体4の厚さｄと付箋補充口26の巾Ｄ１との間には次の数式３が成立する。
［数式３］Ｄ１＞２×ｄ
【００１２】
本手段の構成要件のうちで「付箋収納部の構造であって」までの部分は、従来のポップアップ式の付箋収納部の構造である。当該構造は、付箋収納用チャンバーCを構成する部材（チャンバー構成部12）が有する頂壁16に付箋取出し口24を開口したものである。本手段の特徴は、上記チャンバー構成部12の底壁14に、付箋取出し口24の真下に位置する付箋補充口26を開口したことである（図１参照）。同図左右方向（一の方向）の付箋補充口26の巾Ｄ１は、同方向の付箋取出し口24の巾Ｄ２よりも大きく、かつ付箋積層体4の長さＬよりも小さくなければならない。Ｄ１≦Ｄ２ならば付箋取出し口24から付箋積層体4全体が飛び出る可能性があるから、またＤ１≧Ｌならば付箋補充口26から付箋積層体4が脱落する可能性があるからである。付箋補充口26から付箋積層体4を入れるときには、図５の如く最上位の付箋6Aを付箋補充口26から付箋取出し口24を経て表側に突出させ、この突出部分を摘んだ状態で付箋積層体の一方端部を付箋補充口26内へ差し込み（図６・７（Ａ）参照）、次に他方端部寄りの部分を屈曲させて付箋補充口26内へ入れる（図６・７（Ｃ）参照）とよい。この作用を実現するための条件を数式２〜３に記載する。
【００１３】
「付箋収納部の構造」とは、ケース・袋などの容器に限らず、異種物品（例えば図９に示すボード）の一部を含む。使い捨てによる資源の無駄を省くという観点からは、単なる容器類よりも異種物品の一部に本発明を適用する方が経済的な利益が大きいからである。「付箋収納用チャンバー」とは、付箋を収納することが可能な部屋という程度の意味であり、密閉空間である必要はない。例えば図14の如く側方が開放されていても構わない。「止め部」は付箋収納用チャンバーの側壁としてもよく、側壁とは別に形成してもよい。
【００１４】
第２の手段は、第１の手段を有し、かつ
上記一対の止め部20の間の距離を付箋積層体4より長く設けて、これら止め部20の間を付箋積層体4が一の方向にスライド可能に構成しており、
一方の止め部20から付箋補充口26までのマージンの長さＭ１と付箋補充口26の巾Ｄ１と付箋積層体4の長さＬとの間には次の数式２が、他方の止め部20から付箋補充口26までのマージンの長さＭ２と付箋補充口26の巾Ｄ１と付箋積層体4の長さＬとの間には次の数式３がそれぞれ成立する。
［数式４］Ｌ＞Ｍ１＋Ｄ１
［数式５］Ｌ＞Ｍ２＋Ｄ１
【００１５】
本手段では、上記一対の止め部20の間で付箋積層体4がスライド可能に設けた付箋収納部の構造に付箋補充口26を設けるための条件を提案している。すなわち、本願図３〜図４に示す如く、各止め部20から付箋補充口26までのマージン（余白）の長さＭ１，Ｍ２と付箋補充口の巾Ｄ１との和が付箋積層体4の長さＬよりも小さくなければならない。そうでなければ付箋積層体4の一方端部が止め部20に突き当たったときに付箋積層体4が他方端部から付箋補充口26内へ落ち込んでしまう可能性があるからである。
【００１６】
第３の手段は、上記第１の手段又は第２の手段を有し、かつ
基盤とシート層とからなるボードの一部である補充可能な付箋収納部の構造であり、
上記基盤の表面の一部に凹部34を形成し、
基盤の凹部形成箇所とこの凹部形成箇所の上面を覆うシート層部分とで上記チャンバー構成部12を形成するとともに、上記凹部34の内部を付箋収納用チャンバーCを形成し、
上記凹部34が一の方向に有する一対の側面を上記止め部20とし、凹部34上方のシート層部分及び凹部34の底部の一方に付箋取出し口24を、また他方に付箋補充口26をそれぞれ開口した。
【００１７】
本手段では、付箋収納部を、図９の如くボードBの一部で形成することを提案する。本手段のポイントは、ボードBを、少なくとも基盤30と基盤の表面を覆うシート層との２層構造に形成し、基盤の表面の一部に付箋収納用の凹部34を設け、この凹部の上面を覆うシート層部分に付箋取出し口24を、また凹部の底部に付箋補充口26をそれぞれ開口したことである。これにより広く板状の物品に本発明を適用することが可能となる。
【発明の効果】
【００１８】
第１の手段に係る発明によれば、付箋を使い切ったときに付箋積層体を補充できるので便利であり、かつ付箋収納部を再利用できるので、ゴミの低減に寄与する。
第２の手段に係る発明によれば、付箋積層体4が一対の止め部20の間をスライド可能としたから、付箋積層体4の補充作業が容易となり、かつ付箋積層体の脱落を防止できる。
第３の手段に係る発明によれば、付箋収納部2の構造をボードの一部としたから、本発明の適用範囲が広まる。
【図面の簡単な説明】
【００１９】
【図１】本発明の第１実施形態に係る付箋収納部の構造の縦断面図である。
【図２】図１の構造の平面図である。
【図３】図１の構造からの付箋の取出し作業の第１の段階を示す説明図である。
【図４】図１の構造からの付箋の取出し作業の第２の段階を示す説明図である。
【図５】図１の構造への付箋の補充作業の最初の段階を示す説明図である。
【図６】図１の構造への付箋の補充作業の一つの方法を示す説明図である。
【図７】図１の構造への付箋の補充作業の他の方法を示す説明図である。
【図８】図６及び図７の方法の条件を示す説明図である。
【図９】本発明の第２実施形態に係る付箋収納部の構造の平面図である。
【図１０】図９に示す構造の縦断面図である。
【図１１】図１０に示す構造の要部の縦断面図である。
【図１２】図１０に示す構造の変形例の要部拡大断面図である。
【図１３】図１０に示す構造の変形例の要部拡大断面図である。
【図１４】本発明の第３実施形態に係る付箋収納部の構造の側面図である。
【図１５】図１４の構造の平面図である。
【発明を実施するための最良の形態】
【００２０】
図１〜図８は、本発明の第１実施形態に係る付箋収納部2の構造を示す。この付箋収納部2は、付箋積層体4と、チャンバー構成部12とで構成されている。説明の都合上、本願発明の構成のうち従来公知の部分を先に説明する。
【００２１】
付箋積層体4は、従来公知の構成であり、同一大きさ・同一形状で一方向に長い付箋6を積み重ねてなる。図示の付箋積層体4は長方体である。各付箋6は、長手方向の両側に第１端部8a及び第２端部8bを有し、第２端部8b寄りの部分の裏面に粘着層10を形成している。そして各付箋の第１端部8aがその下の付箋の第２端部8bに重なるようにそれら付箋6を積み重ねて、粘着層10の位置が各付箋6毎に互い違いになるように形成する。本実施形態では、付箋6の第２端部8b寄りの一半部の裏面に粘着層10を形成している。しかしながら、粘着層10を形成する範囲は適宜変更することができる。なお、図面では、黒線で表す粘着層10の厚さをやや誇張して描いている。
【００２２】
この付箋積層体4は、本実施形態では後述の底壁の上にスライド可能に載置されている。また付箋積層体4の最上位の付箋6Aの第１端部8aは後述の付箋取出し口を経て上方へ突出させている。
【００２３】
チャンバー構成部12は、内部に付箋収納用チャンバーCを構成する部材である。本実施形態のチャンバー構成部12は、単一の容器として形成している。それ以外の重要な発明の態様に関しては後述する。
【００２４】
上記チャンバー構成部12は、相互に向かい合う平行かつ水平な底壁14及び頂壁16と、これら底壁及び頂壁を連結する側壁（図示例では周壁18）とを有する。そして周壁18のうち任意の一の方向（以下、便宜的に左右方向という）で相互に対峙する一対の壁部を、付箋積層体4の止め部20としている。
【００２５】
これら一対の止め部20は、付箋積層体4の最上位の付箋6Aを左上方に引っ張ったときには付箋積層体4の左端部に、また右上方に引っ張ったときには付箋積層体4の右端部にそれぞれ当接して上記引っ張り力に抵抗する役割を有する。この当接による反力で最上位の付箋6A及び次の付箋6が外側に引き出される。本実施形態では、止め部20同士の間隔を、付箋積層体4の長さＬより長く設定して、付箋積層体がスライドして止め部20に衝突するようにしている。より効果的に付箋を引き出すためである。しかし、この構成は発明の必須条件ではなく、付箋積層体4の両端部を止め部に当接させて固定しても構わない。
【００２６】
図示例では、頂壁16の周辺部から周壁18を垂下させるとともに周壁18の下端に付設した外向きフランジ22を上記底壁14の周辺部上面に接着している。しかしながら、この構造は適宜変更することができる。また上記頂壁16の左右方向中間部には、前後方向に長い付箋取出し口24を開口している。
【００２７】
上記構成において、図１の状態から最上位の付箋6Aの第1端部8aを引き上げると、付箋積層体４が図面左方にスライドして左側の止め部20に突き当たるとともに、最上位の付箋６Aとともに２番目の付箋6も第1端部8a側から引き上げられる。そしてこの２番目の付箋６の第1端部8aは付箋取出し口24を通って外側に引き出され、次に最上位の付箋6Aの第２端部8bから分離する。これにより２番目の付箋6が最上位の付箋になる。
【００２８】
本発明では、図１の如く上記底壁14の左右方向中間部に常時開放の付箋補充口26を開口する。この付箋補充口26の左右方向の巾Ｄ１は、図１の如く付箋積層体4の長さＬよりも小さくしなければならない。そうしなければ付箋収納用チャンバーC内に収納させた付箋積層体4が付箋補充口26から脱落してしまうおそれがあるからである。
【００２９】
また上記付箋補充口26の巾Ｄ１は、付箋取出し口24の左右方向の巾Ｄ２よりも大きくなければならない。付箋補充口26は付箋積層体4全体を通すためのものであり、付箋を一枚ずつ取り出すための付箋取出し口24よりも大きいことが当然だからである。
【００３０】
次に付箋補充口26の左端部と左側の止め部20との間のマージンの長さをＭ１、付箋補充口26の左端部と左側の止め部20との間のマージンの長さをＭ２とすると、これらと付箋補充口26の巾Ｄ１との間には、Ｌ＞Ｍ１＋Ｄ１及びＬ＞Ｍ２＋Ｄ１という関係がある。この関係により、図３のように付箋積層体4が左側の止め部20に突き当たったときでも付箋積層体4の右端は、付箋補充口26よりも右側に残っており、また、図４のように付箋積層体4が右側の止め部20に突き当たったときでも付箋積層体4の左端は、付箋補充口26よりも左側に残っている。従って付箋積層体4のスライドにより付箋積層体4の各端部が付箋補充口26内へ落ち込むことを防止できる。
【００３１】
以上のことをまとめると、主として付箋積層体4を付箋収納用チャンバーC内に保持するための条件として、次の関係が必要である。
［数式１］Ｌ＞Ｄ１＞Ｄ２
［数式４］Ｌ＞Ｍ１＋Ｄ１
［数式５］Ｌ＞Ｍ２＋Ｄ１
【００３２】
利用者が付箋積層体4を補充するための手順を、図５及び図６（又は図７）に示す。その手順及びその手順可能とするための条件を説明する。
【００３３】
第１の行程として、図５に示すように付箋積層体4を持って付箋補充口26の下方に位置させる。その状態で付箋積層体4の最上位の付箋6Aの第１端部8aを摘まみ、この第１端部8aを、付箋補充口26及び付箋取出し口24を通して付箋収納部２の上方まで引き出す。こうした状態にすることで次の残りの付箋積層体4を付箋補充口26から付箋収納部2の中に入れることで、容易に図１の状態を実現できる。なお、図面では、作図の都合上から、最上位の付箋6Aを第１端部8a近くまで２番目の付箋6の上面から剥離させているが、ここまで引き上げる必要はない。付箋取出し口24の上側に指で付箋6の端部を摘まむのに必要な摘み代ＭＧが確保できる程度に引き上げれば十分である。
【００３４】
上記の操作を可能とするための条件は、まず付箋補充口26が付箋取出し口24の真下にあることである。これにより下方側から付箋補充口26を経て付箋取出し口24を視認することができ、付箋補充口26及び付箋取出し口24に付箋6を通すことが容易となるからである。もっとも図示のように付箋取出し口24及び付箋補充口26の巾方向の中間部が同一垂直線上にある必要はなく、付箋補充口26の巾方向の少なくとも一部が垂直方向から見て付箋取出し口24に重なっていれば足りる。
【００３５】
また付箋補充口26及び付箋取出し口24に最上位の付箋6Aを通すためには、少なくとも付箋積層体4の長さＬが、付箋補充口26の下面から付箋取出し口24の上面までの高さＨよりも大きくなければならない。
［数式２］Ｌ＞Ｈ
【００３６】
一般のポップアップ式の付箋収納容器では、付箋積層体の厚さｄ、付箋積層体の長さをＬ、容器の底面から頂面までの高さをｈとすると、最上位の付箋を外方へ突出させるためには少なくともＬ＞ｈ−ｄであるのに対して、本発明の場合には少なくとも数式２に適合しなければならない。付箋収納部2の底面から付箋積層体4を充填するためには、まず図５に示すように最上位の付箋6Aが付箋補充口26及び付箋取出し口24を同時に通るようにしなければならないということに着眼しなければ、この数式２には到達できない。
【００３７】
実際には、図５に想像線で示すように最上位の付箋6Aを２番目の付箋6の第２端部8bまで剥がしてしまうと、２番目の付箋6から離れてしまう可能性が高いから、最小限の粘着代ＭＡを確保しなければならない。そうするとＬ＞Ｈ＋ＭＡとなる。粘着代ＭＡは、最上位の付箋6Aの第1端部8aを引き上げたときに当該付箋の第２端部8bと２番目の付箋6の第1端部8aとの接着を維持するために最低限必要な粘着層10の巾である。粘着代ＭＡは、少なくとも１mm、好ましくは３mm程度とすることが望ましい。その巾は粘着層10の粘着力に依存する。
【００３８】
そして付箋取出し口24から突出した最上位の付箋6Aを摘まむためには、前述の摘み代ＭＧを確保しなければならない。摘み代は、少なくとも１mm、好ましくは３〜４mm程度を確保することが望ましい。粘着代ＭＡ及び摘み代ＭＧを考慮すると、Ｌ＞Ｈ＋ＭＡ＋ＭＧでなければならない。
【００３９】
第２の行程として、最上位の付箋6Aの第1端部8aを付箋取出し口24の上方へ突出させた状態のままで、付箋積層体4の一方端部を、付箋補充口26の中へ差し込む。その際には、初期状態において最上位の付箋6Aの第1端部8aを引き出した側の付箋積層体4の端部ｅ１を付箋補充口26の中へ差し込んでもよく（図６（Ａ）参照）、またそれとは反対側の端部ｅ２を差し込んでも構わない（図７（Ａ）参照）。
【００４０】
第３の行程として、上記付箋積層体4の一方端部を図６（Ｂ）又は図７（Ｂ）のように付箋収納部2の奥まで押し込み、そして他方端部を、図６（Ｃ）又は図７（Ｃ）に示すようにＵ字形に屈曲させて、付箋補充口26の中へ押し込む。一見すると、付箋補充口26の左右巾を十分大きくとれば、端部側を屈曲させる必要がないように思われるが、それでは前述の数式４〜５を満たすことができない。従って、付箋積層体4を曲げることが可能でなければならない。
【００４１】
付箋積層体4を曲げて付箋補充口26に通すための条件を図８を用いて説明する。同図では説明の都合上、付箋補充口26の巾Ｄ１が著しく短い場合を想定している。同図に示すようにＵ字形の屈曲部分の左右巾は付箋積層体4の厚みｄの２倍より大きい。そして屈曲部分が付箋補充口26を通過するためには、屈曲部分の左右巾は付箋補充口26の巾Ｄ１がよりも小さくなければならない。これより次の式が導かれる。
［数式３］Ｄ１＞２×ｄ
【００４２】
上記構成によれば、頂壁16の付箋取出し口24とは別に常時開放の付箋補充口26を形成したから簡易な構造で付箋積層体4の補充が可能である。また数式１，４〜５の条件を満たすので、底壁に常時開放の付箋補充口26を設けても付箋積層体4が脱落することがない。
【００４３】
図９〜図13は、本発明の第２実施形態に係る付箋収納部2の構造を示す。
【００４４】
本実施形態の付箋収納部2は、多層構造のボードBの一部として構成されている。このボードは、基盤30とこの基盤30の表面を覆う第１シート層32とで構成されている。そして基盤30の表面に凹部34を凹設して、凹部34近傍の基盤部分及び第１シート層を、チャンバー構成部12に形成し、またこの凹部34と凹部上方を覆う第１シート層32とで付箋収納用チャンバーCを形成する。図示例の凹部34は長溝状に形成しているが、その構造は適宜変形することができる。
【００４５】
図９〜図13の例では、基盤30を主板30aと第２シート層30bとで形成し、主板30aを打ち抜いて貫通孔を設け、かつ主板30aの裏面に第２シート層30bを貼り付けることで、当該貫通孔を凹部34に形成している。しかし、図12に示すように基盤30を一体に成形してもよい。また図13に示すように凹部の底部に付箋取出し口24を設け、凹部を閉塞するシート部分に付箋補充口26を設けてもよい。
【００４６】
好適なボードの適用例は、下敷き、付箋貼付用台紙、いわゆる“Ｔｏ  Ｄｏ”リスト（するべきことを書き出したリスト）用のスケジュール管理用ボードなどである。ボード単品に限らず、或る物品のボード状の部分（例えば手帳のカバーの表・裏表紙部分、卓上カレンダーの支持台の台紙部分）にも適用できる。
【００４７】
本実施形態によれば、全部又は一部がボード形状であるさまざまな物品に本発明を適用することができ、利用範囲が著しく広がる。
【００４８】
図14〜図15は、本発明の第３実施形態に係る付箋収納部２の構造を示す。
【００４９】
この実施形態では、単一の長方形状のシートを２つ折りに屈折させて、裏側シート部分を底壁14に、また表側シート部分を頂壁16にそれぞれ形成し、屈折部36とは反対側の両シート部分の端部を相互に接着させ、固定端部38としている。
【００５０】
この図示例では、上記シートの短手方向に複数（図示例では３つ）の付箋取出し口24及び付箋補充口26を開口している。
【符号の説明】
【００５１】
２…付箋収納部  ４…付箋積層体  ６…付箋  6A…最上位の付箋
8a…第１端部  8b…第２端部  10…粘着層
12…チャンバー構成部  14…底壁  16…頂壁  18…周壁  20…止め部
22…外向きフランジ  24…付箋取出し口  26…付箋補充口  
30…基盤  30ａ…主板  30ｂ…第２シート層  32…第１シート層  34…凹部
36…屈折部  38…固定端部
Ｂ…ボード  Ｃ…付箋収納用チャンバー
Ｍ１，Ｍ２…マージン長さ  ＭＡ…粘着代  ＭＧ…摘み代
【図１】
0005574444.tif 000002
【図２】
0005574444.tif 000003
【図３】
0005574444.tif 000004
【図４】
0005574444.tif 000005
【図５】
0005574444.tif 000006
【図６】
0005574444.tif 000007
【図７】
0005574444.tif 000008
【図８】
0005574444.tif 000009
【図９】
0005574444.tif 000010
【図１０】
0005574444.tif 000011
【図１１】
0005574444.tif 000012
【図１２】
0005574444.tif 000013
【図１３】
0005574444.tif 000014
【図１４】
0005574444.tif 000015
【図１５】
0005574444.tif 000016